(57)【特許請求の範囲】
【請求項１】
上部はガラス縁（２４）によって閉じられており底部は裏蓋（２６）によって閉じられ
ている胴（２２）を含むケース（２３）と、中枠（４５）により前記胴（２２）に取り付
けられた時計用ムーブメント（２５）と、前記時計用ムーブメント（２５）を制御するた
めのものであり、前記胴（２２）の穴（２９、３３）に受け入れられかつ前記胴（２２）
の外側で頭部（５６）に接続されたステム（５７）を有するプッシュ・ボタン（３０、３
４）と、時計（２１）の前記ケース（２３）が閉じられたときに前記時計用ムーブメント
（２５）と中枠（４５）を備える組立体を前記胴（２２）に押しつけるためのものであり
、その表面（６３）が前記中枠（４５）と面しかつ前記中枠上に作られた隆起部分と適合
するための凹部（６２、６４、６６、６８）を有する環状部分（６１）を含む固定デバイ
ス（２７）とを備える時計（２１）であって、前記環状部分（６１）の前記凹部（６８）
のうちの少なくとも１つは、前記環状部分（６１）と前記時計用ムーブメント（２５）と
の間で前記ステムのフレア状端部（７５）を保持するために、前記プッシュ・ボタン（３
０、３４）のうちの１つの前記ステム（５７）に対するクランプを形成することを特徴と
する、時計（２１）。
【請求項２】
前記ステム（５７）の前記フレア状部分は、前記ステム（５７）の本体の凹部（５９）
によって形成されていることを特徴とする、請求項１に記載の時計（２１）。
【請求項３】
前記環状部分（６１）は、各ステム（５７）の前記フレア状端部（７５）に対する凹部
を設けるために、その内面（６７）に作られた２つの溝（７０）を有することを特徴とす
る、請求項１または２に記載の時計（２１）。
【請求項４】
各プッシュ・ボタン（３０、３４）は、前記胴（２２）と前記プッシュ・ボタン頭部（
５６）の裏面との間に配置されたバネ（７４）により前記胴（２２）に弾性的に取り付け
られていることを特徴とする、前記請求項１乃至３のいずれかに記載の時計（２１）。
【請求項５】
前記環状部分（６１）は、前記中枠（４５）と前記ケース（２３）の前記裏蓋（２６）
との間に取り付けられていることを特徴とする、前記請求項１乃至４のいずれかに記載の時計（２１）。
【請求項６】
前記環状部分（６１）は、前記ケース（２３）の前記裏蓋（２６）および／または前記
中枠（４５）と協働して据え込み変形により前記時計（２１）のいかなる製作のばらつき
も補償する塑性変形領域（７２、７３）を有することを特徴とする、請求項５に記載の時
計（２１）。
【請求項７】
前記変形領域（７２、７３）は、前記環状部分（６１）から突出している余剰材料を有
することを特徴とする、請求項６に記載の時計（２１）。
【請求項８】
前記中枠（４５）は、前記胴（２２）の凹部（５０）と協働して前記時計用ムーブメン
ト（２５）を前記胴（２２）に対して確実に配向させる位置決めキャッチ（４６）を有す
ることを特徴とする、前記請求項１乃至７のいずれかに記載の時計（２１）。
【請求項９】
前記時計用ムーブメント（２５）は、機械式クロノグラフ・タイプの時計用ムーブメン
トであることを特徴とする、前記請求項１乃至８のいずれかに記載の時計（２１）。
【発明の詳細な説明】
【技術分野】
【０００１】
本発明は、時計用ムーブメントを固定するためのデバイスに関し、より具体的には、自動巻きの機械式ムーブメントを固定するためのこのタイプのデバイスに関する。
【背景技術】
【０００２】
機械式時計用ムーブメントをしっかりと取り付けるために、ネジおよび／またはクランプを使用して、前記ムーブメントを時計の胴に対して固定することが知られている。この解決法は、小型化および／または妥当な費用での時計の製作が望まれている場合には、意に満たない可能性がある。
【発明の概要】
【発明が解決しようとする課題】
【０００３】
本発明の一目的は、ネジおよび／またはクランプを有することなく時計の簡易な組立てを可能にする固定デバイスを備える時計を提案することにより、前述の欠点の一部のすべてを克服することである。
【課題を解決するための手段】
【０００４】
したがって、本発明は、上部はガラス縁によって閉じられており底部は裏蓋によって閉じられている胴を含むケースと、中枠により胴に取り付けられた時計用ムーブメントと、前記時計用ムーブメントを制御するためのものであり、胴の穴に受け入れられかつ胴の外側で頭部に接続されたステムを有するプッシュ・ボタンと、時計のケースが閉じられたときに時計用ムーブメント―中枠を備える組立体を胴に押しつけるためのものであり、その表面が中枠と面しかつ前記中枠上に作られた隆起部分と適合するための凹部を有する環状部分を含む固定デバイスとを備える時計であって、環状部分の凹部のうちの少なくとも１つは、環状部分と時計用ムーブメントとの間で前記ステムのフレア状端部を保持するために、前記プッシュ・ボタンのうちの１つのステムに対するクランプを形成することを特徴とする、時計に関する。
【０００５】
有利には本発明によれば、時計組立体は最小数の部品を備え、したがって、具体的には、クロノグラフ、日付表示、機械式ムーブメント、透明な裏蓋、および可塑性の胴に高度技術を残したままで、様々な構成部品の製作のばらつきにより容易に適応させることができる。
【０００６】
本発明の他の有利な特徴によれば、
−  ステムのフレア状部分は、ステムの本体の凹部によって形成されている。
−  環状部分は、各ステムのフレア状端部に対して凹部を提供するためにその内面に作られた２つの溝を有する。
−  各プッシュ・ボタンは、胴とプッシュ・ボタン頭部の裏面との間に配置されたバネにより、胴に弾性的に取り付けられている。
−  環状部分は、中枠とケースの裏蓋との間に取り付けられている。
−  環状部分は、ケースの裏蓋および／または中枠と協働して据え込み変形または圧搾により時計のいかなる製作のばらつきも補償する塑性変形領域を有する。
−  変形領域は、環状部分から突出している余剰材料を有する。
−  中枠は、胴の凹部と協働して、時計用ムーブメントを胴に対して確実に配向させる位置決めキャッチを有する。
−  時計用ムーブメントは、機械式クロノグラフである。
【０００７】
他の特徴および利点は、添付の図面を参照しながら、非限定的な提示を目的としての以下の説明から明らかになろう。
【図面の簡単な説明】
【０００８】
【図１】本発明による時計の断面図である。
【図２】本発明による時計の主要構成部品の分解斜視図である。
【図３】向きが変更された図２の部分図である。
【図４】本発明による固定デバイスの一部分の、上面および底面の斜視図である。
【図５】プッシュ・ボタンうちの１つの起動軸に沿って配向された時計の断面図である。
【図６】本発明による時計の製作方法の流れ図である。
【発明を実施するための形態】
【０００９】
図１は、２１と総称される時計の断面を示す。時計２１は、主として、ケース２３、時計用ムーブメント２５、および固定デバイス２７を備える。ケース２３は、上部はガラス縁２４によって閉じられており底部は裏蓋２６によって閉じられている胴２２を備える。胴２２は、その内壁に作られた少なくとも１つの肩２８により時計用ムーブメント２５を受け入れるためのものである。図２に示したように、胴２２は、プッシュ・ボタン３０、３４およびリュウズ３２の各ステムをそれぞれ受け入れる穴２９、３３、３１を有することも分かる。
【００１０】
ステム２２は、塑性材料で作られていることが好ましい。しかし、例えば金属またはセラミックなどの、任意の他のタイプの材料を想定することができる。
【００１１】
本発明によれば、ガラス縁２４および裏蓋２６は、金属で作られており、それぞれガラス蓋３５、３６を有する。ガラス縁２４および裏蓋２６は、好ましくは金属で作られたリング３７、３９により胴２２に取り付けられていることが好ましい。各リング３７、３９は、パッキン３８、４０により、ガラス縁２４および裏蓋２６とそれぞれ協働して前記リングの密閉および固定の両方を向上する。当然ながら、胴２２がプラスチックではなく例えば金属で作られている場合には、これらのリング３７および３９はもはや必要ではない。
【００１２】
ムーブメント２５は、機械式でありかつ日付表示機能および３つのストロークを用いるクロノグラフ機能を備えることが好ましく、この後者の機能は、プッシュ・ボタン３０、３４によって制御される。図２および図３に示したように、ムーブメント２５の上部は、針４１と、日付表示窓４２が設けられた多層文字板４３とを備える。図２および図３に示した実例において、時計用ムーブメント２５は、例えば、ある時刻の秒、分、および時間、ならびにクロノグラフによって計測された時間を表すことができる、６本の針４１を備える。
【００１３】
図１、図２、図３、および図５で明らかなように、ムーブメント２５は、中枠４５を介して胴２２の肩２８に取り付けられている。したがって、中枠４５は、ムーブメント２５を胴２２の内壁に嵌合させることを目的としている。中枠４５は、全体的に環状の本体を有し、この本体の外壁は、少なくとも１つの肩４４と、位置決めキャッチ４６とを有し、またこの本体の内壁は、少なくとも１つの肩４８と、少なくとも１つの固定フック４７とを有する。
【００１４】
図２、図３、および図５に示したように、中枠４５は、ムーブメント２５のスレッド４９の底部に対する各フック４７の相互作用、および前記スレッド４９の上部に対する各肩４８の相互作用により、ムーブメント２５に装着されている。
【００１５】
図１で明らかなように、各肩４４は、胴２２の肩２８と接触することを目的としている。この接触により、中枠４５の高さ、したがってムーブメント２５の高さを、胴２２に対して調整することが可能になる。さらに、中枠４５は、クロノグラフの機械制御部材５３、５５、および時間設定デバイスと必要に応じて日付表示デバイスとを制御するための穴５４の周辺に空間を設けるために、くりぬかれることが好ましい。
【００１６】
図２および図５で明らかなように、プッシュ・ボタン３０および３４は、それぞれ機械制御部材５３および５５を動作させることを目的としている。各プッシュ・ボタン３０、３４は、ステム５７に接続された頭部５６を有する。各プッシュ・ボタン３０、３４は、胴２２の各穴２９、３３と各頭部５６の裏面との間に同心円状に組み立てられたバネ７４を介して、胴２２に弾性的に取り付けられていることが好ましい。ステム５７は、以下に説明するように、シーリング・パッキン５８を受け入れるための第１の環状凹部と、部分６１と協働するための第２の環状凹部５９とを有することが好ましい。図２および図５に示したように、第２の凹部５９は、ステム５７の一端部７５を形成し、この一端部７５はフレア状である。
【００１７】
最後に、位置決めキャッチ４６は、前記少なくとも１つの肩４４の基部の拡張部に存在している。図１から図３に示したように、キャッチ４６は、胴２２の内壁に作られた、適合する形状の凹部５０と協働するためのものである。したがって、この構成は、胴２２に対して、角度αを、中枠４５の垂直軸Ａ１、したがってムーブメント２５の垂直軸Ａ１に沿って確実に配向させる。
【００１８】
有利には本発明によれば、時計２１はまた、ケース２３の裏蓋２６が閉じられたときに時計用ムーブメント２５―中枠４５を備える組立体を胴２２に押しつけるための固定デバイス２７を備える。図１から図５に示したように、固定デバイス２７は、環状部分６１を含む。環状部分６１は、中枠４５―スレッド４９を備える組立体、胴２２の内壁―リング３９を備える組立体、時計用ムーブメント２５、および裏蓋２６にそれぞれ面する、表面６３、６５、６７、６９を有する。
【００１９】
図４に示したように、表面６３は、中枠４５の隆起部分に適合することを目的とした凹部６２、６４を有する。したがって、凹部６２は、環状部分６１と中枠４５のフック４７との間の接触を妨げるように作られていることが好ましい。さらに、凹部６４は、環状部分６１とムーブメント２５のスレッド４９、または中枠４５の底部から突出している（具体的にはキャッチ４６の基部に存在している）各部分との間の接触を妨げるように作られていることが好ましい。したがって、環状部分６１は表面６３の上部で中枠４５に取り付けられ、肩７１はムーブメント２５のスレッド４９の底部に据えられることが明らかである。
【００２０】
表面６３はまた、クロノグラフの機械制御部材５３、５５、ならびに時間設定デバイスおよび必要に応じて日付表示デバイスの制御穴５４の周辺に空間を設けるために、凹部６８および６６を有する。したがって、凹部６８、６６は、プッシュ・ボタン３０、３４およびリュウズ３２のステムをそれぞれ受け入れることができることが明らかである。
【００２１】
さらに、有利には本発明によれば、各凹部６８はまた、プッシュ・ボタン３０、３４の各ステム５７を第２の環状凹部５９内に挿入することによりクランプを形成することを目的としている。したがって、環状部分６１はまた、各ステム５７のフレア状端部７５に対して凹部を設けるために、その内面６７に作られた２つの溝７０を有する。
【００２２】
環状部分６１の内面６７はまた、変形領域７３を解放するために形成された肩７１を有する。突出している余剰材料から形成されたこれらの領域は、中枠４５と協働して据え込み変形または圧搾により時計２１の製作のばらつきを補償することを目的としている。
【００２３】
同様に、環状部分６１の底面６９もまた、変形領域７２を有する。突出している余剰材料から形成されたこれらの領域は、ケース２３の裏蓋２６の裏面と協働して据え込み変形または圧搾により時計２１の製作のばらつきをやはり補償することを目的としている。
【００２４】
したがって、上記の説明を読めば、環状部分６１は、中枠４５とケース２３の裏蓋２６との間に取り付けられ、また詳細にはプッシュ・ボタン３０、３４の各ステム５７のフレア状端部７５をクランプで固定する機能に有用であることが明らかである。
【００２５】
次に、図２および図６を参照しながら、時計２１の製作方法１を説明する。第１のステップ３において、時計２１の準備組立段階２、４、６、および８が行われる。
【００２６】
したがって、段階２において、例えばパッキンによってガラス蓋３５を組み立てることにより、ガラス縁２４が作られる。段階４において、中枠４５、文字板４３、および針４１を組み立てることにより、ムーブメント２５が作られる。段階６において、例えば別のパッキンを使用してパッキン４０および胴３６を組み立てることにより、裏蓋２６が作られる。段階８において、例えばパッキンおよび穴２９、３１、３３によってリング３７、３９を組み立てることにより、胴２２が作られる。
【００２７】
方法１の第２のステップ５において、段階４において作られたムーブメント２５は、段階８において作られた胴２２内に、それぞれの肩４４および２８が接触するまで滑り込まされる。有利には本発明によれば、ステップ５における誘導は、胴２２の内壁の凹部５０における、中枠４５上に存在する位置決めキャッチ４６の相互作用によって向上される。前述のように、ステップ５の終わりに、中枠４５、したがってムーブメント２５は、軸Ａ１に対する所定の角度αおよび所定の深さで、胴２２内に位置決めされる。
【００２８】
第３のステップ７において、リュウズ３２は、ムーブメント２５に装着するために、胴２２の穴３１、中枠４５のくりぬかれた部分、およびムーブメント２５の穴５４に連続して通されることにより、ムーブメント２５に取り付けられる。
【００２９】
第４のステップ９において、段階２で作られたガラス縁２４は、胴２２の上部を閉じるように、胴２２に取り付けられる。したがってステップ９には、文字板４３を一部覆うようにフランジ５１を胴２２に設置する第１の段階１０が含まれる。有利には本発明によれば、段階１０における誘導は、フランジ５１の基部に作られた溝５２における、中枠４５上に存在する位置決めキャッチ４６の相互作用によって向上される。段階１０の終わりに、フランジ５１は、軸Ａ１に対する所定の角度αおよび所定の深さで、胴２２内に位置決めされる。
【００３０】
第４のステップ９では、胴２２のリング３７にパッキン３８を設置するための第２の段階１２、次いでパッキン３８を使用してリング３７にガラス縁２４を取り付けるための第３の段階１４が続けられる。
【００３１】
第５のステップ１１において、プッシュ・ボタン３０、３４は、ムーブメント２５の制御部材５３および５５に面するために、胴２２の穴２９、３３、および中枠４５のくりぬかれた部分に連続して通されることにより、ムーブメント２５に取り付けられる。
【００３２】
方法１の第６のステップ１３は、環状部分６１を中枠４５に取り付けるためのステップである。第６のステップ１３は、プッシュ・ボタン３０、３４を制御部材５３、５５に保持するためにバネ７４の緩む力を押さえ込み、次いで凹部６２、６４、６６、６８、７０が中枠４５の隆起部分ならびにプッシュ・ボタン３０、３４およびリュウズ３２のステムと適合するまで、部分６１を胴２２の内壁に滑り込ませることによって、実行される。
【００３３】
第６のステップ１３の終わりに、プッシュ・ボタン３０、３４は胴２２に弾性的に取り付けられることが明らかである。実際、そのステム５７は、部分６１の凹部６８によって形成されたクランプとステムのフレア状端部７５との間の接触によって保持されている。さらに、部分６１は、それぞれ軸Ａ１に対する所定の角度αおよび所定の最小限の深さで、胴２２内に位置決めされる。
【００３４】
第７の、そして最後のステップ１５は、時計ムーブメント２５―中枠４５を備える組立体を胴２２に押しつけるために、ケース２３の底部を閉じるためのステップである。このステップは、段階６で作られた裏蓋２６をリング３９に取り付けることによって達成される。有利には本発明によれば、このステップ１５はまた、様々な構成部品のいかなる製作のばらつきも補償する。実際、前述のように、裏蓋２６がリング３９に押しつけられると、製作のばらつきのために様々である時計の実寸法に最終組立体を嵌合させるために前記裏蓋２６を近づけてゆくことにより、変形手段７２、７３は選択的に変形させられる。したがって、ステップ１５の終わりに、時計の製作が完了する。
【００３５】
当然ながら、本発明は、示された実例に限定されるものではなく、当業者には明らかであろう様々な変形および変更が可能である。具体的には、ムーブメントは自動巻きのクロノグラフ・ムーブメントに限定されるものではなく、スレッド４９を備える他のタイプのムーブメントも可能である。
【００３６】
部分的に閉じられた、すなわち、胴と一体になった裏蓋またはガラス縁を有するケース２３を想定することも可能である。したがって、第１のケースでは、胴は、ガラス縁によってのみ閉じられているケースに置き換えることができる。最後に、第２のケースでは、胴は、裏蓋によってのみ閉じられているケースに置き換えることができる。
【図１】
0005395265.tif 000002
【図２】
0005395265.tif 000003
【図３】
0005395265.tif 000004
【図４】
0005395265.tif 000005
【図５】
0005395265.tif 000006
【図６】
0005395265.tif 000007